(57)【要約】【課題】ハンディ型ビデオカメラをスタジオアダプタに簡単な作業で短時間で組み込めるようにする。【解決手段】スタジオアダプタ用ビデオカメラ支持ユニットとして、ハンディ型ビデオカメラが載置される固定部材と、ハンディ型ビデオカメラを拘束するカメラロック部を有し固定部材に対し直線的に移動変位する第１の可動部材と、ハンディ型ビデオカメラを外部装置と接続するコネクタが取付けられ固定部材に対し直線的に移動変位する第２の可動部材と、該第１の可動部材に移動変位を与える第１の偏心カムと該第２の可動部材に移動変位を与える第２の偏心カムとレバー部材とが同一の回動中心周りに一体的に回動する回動部とを備えた構成とする。【選択図】図４
2010130489.tif 000002
【特許請求の範囲】
【請求項１】
スタジオアダプタと結合されるハンディ型ビデオカメラを支持するスタジオアダプタ用ビデオカメラ支持ユニットであって、
上記ハンディ型ビデオカメラが載置される固定部材と、
上記ハンディ型ビデオカメラを拘束するカメラロック部を備え、上記固定部材に対し直線的に移動変位可能な第１の可動部材と、
上記ハンディ型ビデオカメラを外部装置と接続するコネクタを備え、上記固定部材に対し直線的に移動変位可能な第２の可動部材と、
上記第１の可動部材に当接し該第１の可動部材に上記移動変位を与える第１の偏心カムと、上記第２の可動部材に当接し該第２の可動部材に上記移動変位を与える第２の偏心カムと、レバー部材とが、同一の回動中心周りに一体的に回動可能に設けられた回動部と、
を備え、
上記レバー部材が外力によって回動されるとき、上記第１の偏心カムの回動により上記第１の可動部材が移動変位し、上記カメラロック部により、上記ハンディ型ビデオカメラが拘束状態とされまたは該拘束状態を解かれ、また、上記第２の偏心カムの回動により上記第２の可動部材が移動変位し、上記コネクタにより、上記ハンディ型ビデオカメラが外部装置と接続状態とされまたは該接続状態を解除される構成である
ことを特徴とするスタジオアダプタ用ビデオカメラ支持ユニット。
【発明の詳細な説明】
【技術分野】
【０００１】
本発明は、スタジオアダプタと結合されるハンディ型ビデオカメラを支持するスタジオアダプタ用ビデオカメラ支持ユニットの構成に関する。
【背景技術】
【０００２】
図８〜図１１は、従来から実用されているハンディ型ビデオカメラと、それを支持するビデオカメラ支持ユニットの説明図である。スタジオ内での使用のために、ハンディ型ビデオカメラ１１'はスタジオアダプタ１０'に取付けられた状態とされ、該ハンディ型ビデオカメラ１１'の前方には大型レンズ１２'が配され、後方にはファインダ１３'が配される（図８）。大型レンズ１２'やファインダ１３'はそれぞれ、ハンディ型ビデオカメラ１１'側に固定されるかまたはスタジオアダプタ１０'側に固定される。ハンディ型ビデオカメラ１１'は、スタジオアダプタ１０'の一部を構成しているビデオカメラ支持ユニット１０１'に取付けられた状態（図９）でスタジオアダプタ１０'に組み込まれている。
【０００３】
ビデオカメラ支持ユニット１０１'にハンディ型ビデオカメラ１１'が取付けられた状態においては、ビデオカメラ支持ユニット１０１'の固定部材１０１１'上に載置されたハンディ型ビデオカメラ１１'の後方側面（−Ｘ軸方向側面）の下方部分が、該ビデオカメラ支持ユニット１０１'の可動部材１０１２'の端面によって拘束されている（図９）。該可動部材１０１２'は、レバー部材１０１３'の回動中心（回動支点）周りの回動によって駆動されて±Ｘ軸方向に移動変位するようになっており、Ｘ軸方向に移動変位したときに可動部材１０１２'を押し、該可動部材１０１２'の端面をハンディ型ビデオカメラ１１'の後方側面（−Ｘ軸方向側面）の下方部分に押し付けさせる。
【０００４】
ハンディ型ビデオカメラ１１'と外部装置との接続は、ハンディ型ビデオカメラ１１'の後方側面（Ｘ軸方向側面）の上方部分に設けたコネクタ１１２'と、スタジオアダプタ１０'の後方側面（−Ｘ軸方向側面）の上方部分に取付けたアーム１０３'の先端部に設けたコネクタ１０２'とによって行う。アーム１０３'が矢印Ｅの方向に移動変位することにより、コネクタ１０２'がコネクタ１１２'側に移動し、コネクタ１０２'がコネクタ１１２'と結合される（図１０）。コネクタ１０２'には、外部装置に接続された導線が接続されている。図１１は、コネクタ１０２'がコネクタ１１２'と結合されているときの状態を示す。
【０００５】
また、本発明に関連した従来技術であって、特許文献に記載された技術としては、例えば、特開２００５−１４８３３０号公報（特許文献１）に記載されたものがある。特開２００５−１４８３３０号公報には、三脚１０で支持したカメラ支持部１５にハンディ型ビデオカメラ１１を載せて固定する構成や、ハンディカメラ本体３１ｂをビルドアップタイプサポータ３４ｂ支持し固定するとした構成が記載されている。
【０００６】
【特許文献１】特開２００５−１４８３３０号公報
【発明の開示】
【発明が解決しようとする課題】
【０００７】
上記図８〜図１１を用いて説明した従来技術においては、ビデオカメラ支持ユニット１０１'によりスタジオアダプタ１０'内にハンディ型ビデオカメラ１１'が固定された後に、アーム１０３'の移動変位により、コネクタ１０２'がコネクタ１１２'に結合される。すなわち、ハンディ型ビデオカメラ１１'をビデオカメラ支持ユニット１０１'により固定することと、ハンディ型ビデオカメラ１１'を外部装置に接続することは、直列的な別個の作業として行われる。このため、コネクタ１０２'がコネクタ１１２'に結合されるようにハンディ型ビデオカメラ１１'の固定位置を調整する必要があるし、また、ハンディ型ビデオカメラ１１'による再生または記録が開始されるまでに長い時間が必要である。また、コネクタ１０２'を支持しかつ移動させるためのアーム１０３'も必要であり、スタジオアダプタ１０'が大型化し易くかつ構造も複雑化し易い。
【０００８】
本発明の課題点は、上記従来技術の状況に鑑み、ハンディ型ビデオカメラのスタジオアダプタ内への組込みを簡単な作業により短時間で行えるようにすることである。
【０００９】
本発明の目的は、かかる課題点を解決し、使い勝手の良いスタジオアダプタを提供することにある。
【課題を解決するための手段】
【００１０】
上記課題点を解決するために、本発明では、スタジオアダプタ用ビデオカメラ支持ユニットとして、ハンディ型ビデオカメラが載置される固定部材と、ハンディ型ビデオカメラを拘束するカメラロック部を有し固定部材に対し直線的に移動変位する第１の可動部材と、ハンディ型ビデオカメラを外部装置と接続するコネクタが取付けられ固定部材に対し直線的に移動変位する第２の可動部材と、該第１の可動部材に該直線的な移動変位を与える第１の偏心カムと該第２の可動部材に該直線的な移動変位を与える第２の偏心カムとレバー部材とが同一の回動中心周りに一体的に回動する回動部とを備えた構成とする。回動部の上記第１、第２の偏心カムはそれぞれ、上記レバー部材が外力で回動されるとき、該レバー部材と一体的に回動し、第１の偏心カムは、上記第１の可動部材を直線的に移動変位させ、固定部材上で上記カメラロック部によりハンディ型ビデオカメラを拘束状態にするかまたは該拘束状態を解く。また、上記第２の偏心カムは、上記第２の可動部材を直線的に移動変位させて、上記コネクタによりハンディ型ビデオカメラを外部装置と接続状態にするかまたは該接続状態を解除する。
【発明の効果】
【００１１】
本発明によれば、ハンディ型ビデオカメラをスタジオアダプタに対し、コネクタ接続を含め、簡単な作業により短時間で組み込むことができる。
【発明を実施するための最良の形態】
【００１２】
以下、本発明の実施例につき、図面を用いて説明する。
【００１３】
図１〜図７は、本発明の実施例の説明図である。図１は、本発明の実施例としてのビデオカメラ支持ユニットにハンディ型ビデオカメラが取付けられた状態を示す図、図２は、図１におけるハンディ型ビデオカメラのコネクタ接続部の構成を示す図、図３は、図１におけるビデオカメラ支持ユニットの外観を示す図、図４は、図３のビデオカメラ支持ユニットの分解構成を示す図、図５は、図３のビデオカメラ支持ユニットの上部平面構成及び側断面構成を示す図、図６は、図３のビデオカメラ支持ユニットの第１の可動部材の動作説明図、図７は、図３のビデオカメラ支持ユニットの第２の可動部材の動作説明図である。本実施例の場合も、ハンディ型ビデオカメラは、スタジオアダプタに取付けられ、さらに、大型レンズやファインダが装着された状態で、スタジオでの使用（スタジオユース）等に供されるものとする。
【００１４】
図１において、１１はハンディ型ビデオカメラ、１０１は、ハンディ型ビデオカメラ１１を支持しスタジオアダプタの一部を構成するビデオカメラ支持ユニット、１０１１は、ビデオカメラ支持ユニット１０１内においてハンディ型ビデオカメラ１１が載置される固定部材、１０８ｂは、ハンディ型ビデオカメラ１１の−Ｘ軸方向側面の下方部分を拘束するカメラロック部としての爪部、１０１２ａは、該爪部１０８ｂをＺ軸方向表面に備え、ビデオカメラ支持ユニット１０１内において固定部材１０１１に対し±Ｘ軸方向に直線的に移動変位可能な第１の可動部材、１０１５は、ハンディ型ビデオカメラ１１を外部装置（図示なし）と接続するコネクタ、１０１２ｂは、該コネクタ１０１５を備え、ビデオカメラ支持ユニット１０１内において固定部材１０１１に対し±Ｘ軸方向に直線的に移動変位可能な第２の可動部材、１０１３は、ユーザによって外力が与えられ、固定部材１０１１上に設けた回動中心（回動支点）周りに回動するレバー部材、１０１３ｂは、レバー部材１０１３の回動軸、１０２０ａは、固定部材１０１１の±Ｙ軸方向側面に固定され、第１の可動部材１０１２ａの±Ｘ軸方向の移動を案内する第１のガイド部材、１０２０ｂは、同じく固定部材１０１１の±Ｙ軸方向側面に固定され、第２の可動部材１０１２ｂの±Ｘ軸方向の移動を案内する第２のガイド部材、１０２１、１０２２はそれぞれ、固定部材１０１１の±Ｙ軸方向側面に固定され、該固定部材１０１１上に載置されたハンディ型ビデオカメラ１１の±Ｙ軸方向の動きを規制する側壁部材である。回動軸１０１３ｂ上には、２個の偏心カム（図示なし）が、レバー部材１０１３と同一の回動中心（回動支点）周りに一体的に回動可能に設けられ、該２個の偏心カムは、レバー部材１０１３が回動軸１０１３ｂとともに回動支点周りに回動することにより回動駆動される。該２個の偏心カムの回動により、第１の可動部材１０１２ａ及び第２の可動部材１０１２ｂがそれぞれ±Ｘ軸方向に直線的に移動変位する。また、コネクタ１０１５には外部装置と接続される導線（図示なし）が接続されているものとする。
【００１５】
図１の構成において、ハンディ型ビデオカメラ１１が固定部材１０１１上に載置され、ユーザによってレバー部材１０１３に例えば反時計方向に回動するための外力が加えられると、回動軸１０１３ｂが回動中心（回動支点）周りに回動され、２個の偏心カム（図示なし）が該回動軸１０１３ｂとともに反時計方向に回動される。２個の偏心カムのうちの一方の偏心カムは、第１の可動部材１０１２ａをＸ軸方向に移動させ、他方の偏心カムは、第２の可動部材１０１２ｂをＸ軸方向に移動させる。第１の可動部材１０１２ａの移動によっては、該第１の可動部材１０１２ａ上に設けられた爪部１０８ｂがハンディ型ビデオカメラ１１の−Ｘ軸方向側面の下方部の爪部（図示なし）と係合し、ハンディ型ビデオカメラ１１を固定部材１０１１上において拘束する。第２の可動部材１０１２ｂの移動変位によっては、該第２の可動部材１０１２ｂに固定されたコネクタ１０１５が、Ｘ軸方向に移動変位し、ハンディ型ビデオカメラ１１の−Ｘ軸方向側面に設けられたコネクタ接続部に結合（接続）される。該状態でハンディ型ビデオカメラ１１は、ビデオカメラ支持ユニット１０１に固定され、該ビデオカメラ支持ユニット１０１によって支持された状態となり、かつ、外部装置に電気的に接続された状態となる。すなわち、固定部材１０１１上に載置されたハンディ型ビデオカメラ１１は、レバー部材１０１３を単に、例えば反時計方向に回動させることにより、ビデオカメラ支持ユニット１０１に固定されるとともに、外部装置とも電気的に接続されることになる。また、この状態において、ユーザによってレバー部材１０１３に例えば時計方向の回動中心（回動支点）周りの力が加えられると、上記場合とは逆に、２個の偏心カムのうちの一方の偏心カムは、第１の可動部材１０１２ａを−Ｘ軸方向に移動させ、他方の偏心カムは、第２の可動部材１０１２ｂを−Ｘ軸方向に移動させる。第１の可動部材１０１２ａの移動によっては、上記爪部１０８ｂが、ハンディ型ビデオカメラ１１側の−Ｘ軸方向側面の下方部の爪部（図示なし）との係合状態を解かれ、また、第２の可動部材１０１２ｂの移動変位によっては、上記コネクタ１０１５が、−Ｘ軸方向に移動変位し、ハンディ型ビデオカメラ１１側のコネクタ接続部との結合（接続）状態を解除される。この結果、ハンディ型ビデオカメラ１１は、ビデオカメラ支持ユニット１０１への固定状態を解かれ、かつ、外部装置とも電気的に非接続状態とされる。すなわち、レバー部材１０１３を単に、例えば時計方向に回動させることにより、ハンディ型ビデオカメラ１１は、ビデオカメラ支持ユニット１０１への固定状態から解放され、かつ、外部装置との電気的な接続も解除されることになる。
【００１６】
以下、説明中で用いる図１の構成の構成要素には、図１の場合と同じ符号を付して用いる。
【００１７】
図２は、ハンディ型ビデオカメラ１１の外観斜視図であって、ビデオカメラ支持ユニット１０１側のコネクタ１０１５と接続されるコネクタ接続部の構成を示す図である。
【００１８】
図２において、１１１はカメラ本体部、１１２は、コネクタ接続部としてのコネクタ、１１３はコネクタカバー、１１８は、第１の可動部材１０１２ａのＸ軸方向端面の爪部１０８ｂ（図１）と係合される爪部である。（ａ）は、コネクタカバー１１３が開き始めたときの状態を示し、（ｂ）は、コネクタカバー１１３が全開されたときの状態を示す。コネクタカバー１１３は吊り下げられた状態で回動支点において支持され、該回動支点の近傍にはねじりコイルばね等のばねが設けられ、コネクタ１０１５が上記コネクタ１１２に接続されないときは、該コネクタカバー１１３は、該ばねの弾性復元力によって、コネクタ１１２が覆われる位置に回動変位した状態とされる。コネクタ１０１５がコネクタ１１２に接続されるとき、該コネクタカバー１１３は、Ｘ軸方向に移動変位するコネクタ１０１５の先端部によって押され、開き始める。
【００１９】
以下、説明中で用いる図２の構成の構成要素には、図２の場合と同じ符号を付して用いる。
【００２０】
図３は、図１におけるビデオカメラ支持ユニット１０１の外観を示す図であって、第１の可動部材及び第２の可動部材がまだＸ軸方向への移動変位を開始せず、第１の可動部材上の爪部１０８ｂや第２の可動部材上のコネクタ１０１５がレバー部材１０１３の位置から最も離間した位置にあるときの状態を示す。
【００２１】
図３において、１０１２ａ１は、第１の可動部材１０１２ａの一部であって偏心カムと当接して係合される部分（以下、この部分も第１の可動部材という）、１０１２ａ２は、第１の可動部材１０１２ａの一部であって爪部１０８ｂが設けられる部分（以下、この部分も第１の可動部材という）、１０１２ｂ３は、第２の可動部材１０１２ｂの一部であってコネクタ１０１５が設けられる部分（以下、この部分も第２の可動部材という）、１０１１ａは、ハンディ型ビデオカメラ１１の−Ｚ軸方向平面が載置される固定部材１０１１の平面部、１０８ａは、固定部材１０１１の平面部１０１１ａ上に固定され、ハンディ型ビデオカメラ１１のＸ軸方向側面の下方部分に設けられた爪部（図示なし）と係合される爪部、１０１６は、第２の可動部材１０１２ｂ２のＸ軸方向端面に突出させて設けられた案内ピンである。爪部１０８ａは、ハンディ型ビデオカメラ１１のＸ軸方向側面の下方部分に設けられた爪部（図示なし）と係合される。また、案内ピン１０１６は、コネクタ１０１５をハンディ型ビデオカメラ１１側のコネクタ１１２（図２）（コネクタ接続部）に接続するとき、コネクタカバー１１３内の孔に挿入されることで第２の可動部材１０１２ｂ３のＸ軸方向の移動を案内し、該コネクタ１０１５がハンディ型ビデオカメラ１１側のコネクタ１１２（図２）に適正な状態で接続（結合）されるようにする。第１の可動部材１０１２ａ１は、図３に示す位置から−Ｘ軸方向に移動変位するとき、その±Ｙ軸方向の側面部を第１のガイド部材１０２０ａによって案内され、第２の可動部材１０１２ｂ３は、図３に示す位置からＸ軸方向に移動変位するとき、その±Ｙ軸方向の側面部を第２のガイド部材１０２０ｂによって案内される。
【００２２】
ビデオカメラ支持ユニット１０１が図３の状態にあるときに、ハンディ型ビデオカメラ１１は、固定部材１０１１の平面部１０１１ａ上に置かれ、該ハンディ型ビデオカメラ１１のＸ軸方向側面の下方部分に設けられた爪部（図示なし）が、固定部材１０１１上の爪部１０８ａと係合される。この状態で、レバー部材１０１３が外力により反時計方向に回動されると、回動軸１０１３ｂ上に設けられた２個の偏心カム（図示なし）が回動する。２個の偏心カムが回動すると、該２つの偏心カムのうち一方の偏心カムに係合した第１の可動部材１０１２ａ１がＸ軸方向に移動変位され、これに付随して第１の可動部材１０１２ａ２がＸ軸方向に移動変位され、爪部１８ｂがＸ軸方向に移動変位される。また、上記２つの偏心カムのうち他方の偏心カムによっては第２の可動部材１０１２ｂ３がＸ軸方向に移動変位され、これに付随してコネクタ１０１５がＸ軸方向に移動変位される。Ｘ軸方向に移動変位した爪部１０８ｂは、ハンディ型ビデオカメラ１１側の爪部１１８に係合され、コネクタ１０１５は、ハンディ型ビデオカメラ１１側のコネクタ１１２と接続（結合）される。すなわち、ビデオカメラ支持ユニット１０１においては、レバー部材１０１３の反時計方向の回動によって、爪部１０８ａ、１１８間の係合と、コネクタ１０１５、１１２間の接続とがワンタッチ的に行われる。
【００２３】
以下、説明中で用いる図３の構成における構成要素には、図３の場合と同じ符号を付して用いる。
【００２４】
図４は、図３のビデオカメラ支持ユニット１０１の分解構成を示す図である。図中の一点鎖線は、各部材間の結合関係を示す。
【００２５】
図４において、１０１４ａは、第１の可動部材１０１２ａ１に当接し該第１の可動部材１０１２ａ１に±Ｘ軸方向の移動変位を与える第１の偏心カム、１０１４ｂは、第２の可動部材に当接し該第１の可動部材１０１２ｂ１に±Ｘ軸方向の移動変位を与える第２の偏心カム、１０１３ａは、回動軸１０１３ｂの中心すなわちレバー部材１０１３、第１の偏心カム１０１４ａ及び第２の偏心カム１０１４ｂの回動の中心（回動中心）、１０１２ｂ１は、第２の可動部材１０１２ｂの一部であって上記第２の偏心カム１０１４ｂが当接して係合し該第２の偏心カム１０１４ｂから±Ｘ軸方向の移動変位を与えられる部分（以下、この部分も第２の可動部材という）、１０１２ｂ２は、第２の可動部材１０１２ｂの一部であって、上記第２の可動部材１０１２ｂ１と、コネクタ１０１５が取付けられた第２の可動部材１０１２ｂ３との間を結合する部分（以下、この部分も第２の可動部材という）、１０１２ａ１ｈは、第１の可動部材１０１２ａ１に設けられ、回動軸１０１３ｂが貫通される貫通孔、１０１１ｂは、固定部材１０１１に設けられ、回動軸１０１３ｂが貫通される貫通孔、１０１１ｃは、固定部材１０１１に設けられ、第１の可動部材１０１２ａ２及び第２の可動部材１０１２ｂ２が収納される貫通孔、１０１１ｄは、固定部材１０１１に設けられ、第２の可動部材１０１２ｂ３が貫通される貫通孔、１０１７は、棒状または板状のばね、１０１８は、ばね１０１７の端部を支持するばね支持部材、１０１２ｂ１ｃは、第２の可動部材１０１２ｂ１のＺ軸方向面に形成された凹部である。レバー部材１０１３、第１の可動部材１０１２ａ１、１０１２ａ２、爪部１０８ａ、１０８ｂ、第１の偏心カム１０１４ａ、ばね１０１７、第２の可動部材１０１２ｂ３、コネクタ１０１５等は、固定部材１０１１のＺ軸方向側に配され、第２の偏心カム１０１４ｂ、第２の可動部材１０１２ｂ１、１０１２ｂ２等は、固定部材１０１１の−Ｚ軸方向側に配される。レバー部材１０１３、第１の偏心カム１０１４ａ及び第２の偏心カム１０１４ｂは、回動軸１０１３ｂによって一体状に結合され、該回動軸１０１３ｂとともに回動部を構成し、回動中心１０１３ａ周りに一体的に回動可能にされている。第１の可動部材１０１２ａ１の−Ｚ軸方向面にも凹部（図示なし）が形成されており、該凹部内には、上記第１の偏心カム１０１４ａ、回動軸１０１３ｂ、上記ばね１０１７及びばね支持部材１０１８が収納される。貫通孔１０１２ａ１ｈは、回動軸１０１３ｂが貫通した状態で第１の可動部材１０１２ａ１が±Ｘ軸方向に移動変位可能な寸法を有し、同様に、貫通孔１０１１ｄは、第２の可動部材１０１２ｂ３が貫通した状態で±Ｘ軸方向に移動変位可能な寸法を有する。第１の偏心カム１０１４ａ及び第２の偏心カム１０１４ｂはともにほぼ円形の外形を有し、第２の偏心カム１０１４ｂは、第１の偏心カム１０１４ａよりも外径を大きくされ、コネクタ１０１５の±Ｘ軸方向の移動変位量が、爪部１０８ｂの±Ｘ軸方向の移動変位量よりも大きくなるようにしてある。コネクタ１０１５の±Ｘ軸方向の移動変位量は、例えば３０×１０−３ｍ〜４０×１０−３ｍとし、爪部１０８ｂの±Ｘ軸方向の移動変位量は例えば８×１０−３ｍ〜１０×１０−３ｍとする。
【００２６】
以下、説明中で用いる図４の構成における構成要素には、図４の場合と同じ符号を付して用いる。
【００２７】
図５は、図３のビデオカメラ支持ユニット１０１の上部平面構成及び側断面構成を示す図である。（ａ）は上部平面図、（ｂ）は、（ａ）におけるＡ−Ａ断面の構成を示す側断面図である。
【００２８】
図５は、レバー部材１０１３が外力により、図３に示した位置から反時計方向に約９０°回動した場合の状態を示す。該状態では、第１の偏心カム１０１４ａ及び第２の偏心カム１０１４ｂの反時計方向の回動により、第１の可動部材１０１２ａ１、１０１２ａ２及び第２の可動部材１０１２ｂ１、１０１２ｂ２、１０１２ｂ３がＸ軸方向への移動変位を終了し、ハンディ型ビデオカメラ１１が固定部材１０１１上にある場合には、第１の可動部材１０１２ａ２上の爪部１０８ｂは、該ハンディ型ビデオカメラ１１側の爪部１１８に係合されてハンディ型ビデオカメラ１１を固定部材１０１１側に固定し、第２の可動部材１０１２ｂ３上のコネクタ１０１５は、該ハンディ型ビデオカメラ１１側のコネクタ１１２に接続され、該ハンディ型ビデオカメラ１１と外部装置を接続する。
【００２９】
図６は、図３のビデオカメラ支持ユニット１０１における第１の可動部材の動作説明図である。（ａ）は、レバー部材１０１３にユーザによる外力が加えられず該レバー部材１０１３が回動する前の状態を示す図、（ｂ）は、レバー部材１０１３にユーザによる外力が加えられ、該レバー部材１０１３及び第１の偏心カム１０１４ａが（ａ）の位置から反時計方向に角θだけ回動したときの状態を示す図、（ｃ）は、レバー部材１０１３及び第１の偏心カム１０１４ａが（ａ）の位置から反時計方向に約９０°回動したときの状態を示す図である。（ａ）、（ｂ）、（ｃ）とも、Ｚ軸方向から見た構成を示し、第１の可動部材１０１２ａ１については、第１の偏心カム１０１４ａと係合されるＺ軸方向の高さ位置におけるＸＹ平面内の断面構成を示す。
【００３０】
図６において、１０１２ａ１ｃは、第１の可動部材１０１２ａ１の−Ｚ軸方向面に形成された凹部、１０１２ａ１ｗは、該凹部１０１２ａ１ｃを形成する第１の可動部材１０１２ａ１のＸ軸方向端面、ｘ０は、レバー部材１０１３及び第１の偏心カム１０１４ａの回動中心１０１３ａのＸ軸上の位置、ｘａ１は、（ａ）の状態における爪部１０８ｂの−Ｘ軸方向端面のＸ軸上の位置、ｘａ２は、（ｂ）の状態における爪部１０８ｂの−Ｘ軸方向端面のＸ軸上の位置、ｘａ３は、（ｃ）の状態における爪部１０８ｂの−Ｘ軸方向端面のＸ軸上の位置である。凹部１０１２ａ１ｃ内には、第１の偏心カム１０１４ａ、回動軸１０１３ｂ、ばね１０１７及びばね支持部材１０１８が収納されている。凹部１０１２ａ１ｃ内において、第１の偏心カム１０１４ａは、その外周面が、第１の可動部材１０１２ａ１の上記Ｘ軸方向端面１０１２ａ１ｗ及び上記ばね１０１７に常に当接されている。すなわち、第１の偏心カム１０１４ａは、その外周面が、ばね１０１７の弾性復元力により−Ｘ軸方向に押された状態で、上記Ｘ軸方向端面１０１２ａ１ｗに当接している。言い換えれば、第１の可動部材１０１２ａ１は、常時、ばね１０１７の弾性復元力によって、Ｘ軸方向端面１０１２ａ１ｗにおいて第１の偏心カム１０１４ａの外周面に押付けられた状態にある。このため、該第１の可動部材１０１２ａ１は、該第１の偏心カム１０１４ａの外周面の移動変位に追随してＸ軸方向または−Ｘ軸方向に移動変位することになる。ａ１は、（ａ）の状態における第１の偏心カム１０１４ａの上記Ｘ軸方向端面１０１２ａ１ｗへの当接点、ａ２は、（ａ）の状態における第１の偏心カム１０１４ａの上記ばね１０１７への当接点、ｂ１は、（ｂ）の状態における第１の偏心カム１０１４ａの上記Ｘ軸方向端面１０１２ａ１ｗへの当接点、ｂ２は、（ｂ）の状態における第１の偏心カム１０１４ａの上記ばね１０１７への当接点、ｃ１は、（ｃ）の状態における第１の偏心カム１０１４ａの上記Ｘ軸方向端面１０１２ａ１ｗへの当接点、ｃ２は、（ｃ）の状態における第１の偏心カム１０１４ａの上記ばね１０１７への当接点である。
【００３１】
図６において、（ａ）の状態においては、固定部材１０１１上に置かれたハンディ型ビデオカメラ１１は、爪部１０８ｂによって拘束されない解放状態にある。このとき、第１の偏心カム１０１４ａは、その外周面上の点ａ２においてばね１０１７の弾性復元力により−Ｘ軸方向に押され、外周面上の点ａ１においては、第１の可動部材１０１２ａ１が、そのＸ軸方向端面１０１２ａ１ｗを、ばね１０１７の弾性復元力により、第１の偏心カム１０１４ａの外周面に押付けられている。（ｂ）の状態においては、回動した第１の偏心カム１０１４ａが、外周面上の点ｂ１において第１の可動部材１０１２ａ１のＸ軸方向端面１０１２ａ１ｗと当接する（点ｂ１のＸ軸上の位置と位置ｘ０との間の距離は、点ａ１のＸ軸上の位置と位置ｘ０との間の距離よりも短い）ため、該Ｘ軸方向端面１０１２ａ１ｗの位置は、（ａ）の状態時よりもＸ軸方向に移動する。このとき、第１の偏心カム１０１４ａは、その外周面上の点ｂ２においてばね１０１７の弾性復元力により−Ｘ軸方向に押され、外周面上の点ｂ１においては、第１の可動部材１０１２ａ１が、そのＸ軸方向端面１０１２ａ１ｗを、ばね１０１７の弾性復元力により、第１の偏心カム１０１４ａの外周面に押付けられている。（ｃ）の状態においては、回動した第１の偏心カム１０１４ａが、外周面上の点ｃ１において第１の可動部材１０１２ａ１のＸ軸方向端面１０１２ａ１ｗと当接する（点ｃ１のＸ軸上の位置と位置ｘ０との間の距離は、点ｂ１のＸ軸上の位置と位置ｘ０との間の距離よりも短い）ため、該Ｘ軸方向端面１０１２ａ１ｗの位置は、（ｂ）の状態時よりもさらにＸ軸方向に移動した状態となる。（ｃ）の状態においては、第１の可動部材１０１２ａ２上の爪部１０８ｂは、（ａ）の状態から、ｘａ３−ｘａ１だけＸ軸方向に移動変位されている。該爪部１０８ｂは、本（ｃ）の状態において、ハンディ型ビデオカメラ１１側の爪部１１８に係合されてハンディ型ビデオカメラ１１を固定部材１０１１側に締付けて固定する（カメラ締付状態にする）。爪部１０８ｂの±Ｘ軸方向の移動変位量ｘａ３−ｘａ１は例えば８×１０−３ｍ〜１０×１０−３ｍとする。
【００３２】
図７は、図３のビデオカメラ支持ユニット１０１における第２の可動部材の動作説明図である。（ａ）は、レバー部材１０１３にユーザによる外力が加えられず該レバー部材１０１３が回動する前の状態を示す図、（ｂ）は、レバー部材１０１３にユーザによる外力が加えられ、該レバー部材１０１３及び第２の偏心カム１０１４ｂが（ａ）の位置から反時計方向に角θだけ回動したときの状態を示す図、（ｃ）は、レバー部材１０１３及び第２の偏心カム１０１４ｂが（ａ）の位置から反時計方向に約９０°回動したときの状態を示す図である。（ａ）、（ｂ）、（ｃ）とも、Ｚ軸方向から見た構成を示している。
【００３３】
図７において、１０１２ｂ１ｃは、第２の可動部材１０１２ｂ１のＺ軸方向面に形成された凹部、１０１２ｂ１ｗ１は、該凹部１０１２ｂ１ｃを形成する第２の可動部材１０１２ｂ１のＸ軸方向端面、１０１２ｂ１ｗ２は、該凹部１０１２ｂ１ｃを形成する第２の可動部材１０１２ｂ１の−Ｘ軸方向端面、ｘ０は、レバー部材１０１３及び第２の偏心カム１０１４ｂの回動中心１０１３ａのＸ軸上の位置、ｘｂ１は、（ａ）の状態におけるコネクタ１０１５のＸ軸方向端面のＸ軸上の位置、ｘｂ２は、（ｂ）の状態におけるコネクタ１０１５のＸ軸方向端面のＸ軸上の位置、ｘｂ３は、（ｃ）の状態におけるコネクタ１０１５のＸ軸方向端面のＸ軸上の位置である。凹部１０１２ｂ１ｃ内には、第２の偏心カム１０１４ｂ及び回動軸１０１３ｂが収納されている。凹部１０１２ｂ１ｃ内において、第２の偏心カム１０１４ｂは、その外周面が、第２の可動部材１０１２ｂ１の上記Ｘ軸方向端面１０１２ｂ１ｗ１及び上記Ｘ軸方向端面１０１２ｂ１ｗ２に当接されている。このため、第１の可動部材１０１２ｂ１は、第２の偏心カム１０１４ｂの外周面の移動変位に追随してＸ軸方向または−Ｘ軸方向に移動変位することになる。図７において、ａ１は、（ａ）の状態における第２の偏心カム１０１４ｂの上記Ｘ軸方向端面１０１２ｂ１ｗ１への当接点、ａ２は、（ａ）の状態における第２の偏心カム１０１４ａの第２の偏心カム１０１４ｂの上記−Ｘ軸方向端面１０１２ｂ１ｗ２への当接点、ｂ１は、（ｂ）の状態における第２の偏心カム１０１４ｂの上記Ｘ軸方向端面１０１２ｂ１ｗ１への当接点、ｂ２は、（ｂ）の状態における第２の偏心カム１０１４ａの第２の偏心カム１０１４ｂの上記−Ｘ軸方向端面１０１２ｂ１ｗ２への当接点、ｃ１は、（ｃ）の状態における第２の偏心カム１０１４ｂの上記Ｘ軸方向端面１０１２ｂ１ｗ１への当接点、ｃ２は、（ｃ）の状態における第２の偏心カム１０１４ａの第２の偏心カム１０１４ｂの上記−Ｘ軸方向端面１０１２ｂ１ｗ２への当接点である。
【００３４】
図７において、（ａ）の状態においては、固定部材１０１１上に置かれたハンディ型ビデオカメラ１１は、コネクタ１１２はコネクタ１０１５と接続されない解放状態にある。（ｂ）の状態においては、回動した第２の偏心カム１０１４ｂが、外周面上の点ｂ２において第２の可動部材１０１２ｂ１の−Ｘ軸方向端面１０１２ａ１ｗ２と当接する（点ｂ２のＸ軸上の位置と位置ｘ０との間の距離は、点ａ２のＸ軸上の位置と位置ｘ０との間の距離よりも長い）ため、該−Ｘ軸方向端面１０１２ａ１ｗ２の位置は、（ａ）の状態時よりもＸ軸方向に移動する。（ｃ）の状態においては、回動した第２の偏心カム１０１４ｂが、外周面上の点ｃ２において第２の可動部材１０１２ｂ１の−Ｘ軸方向端面１０１２ａ１ｗ２と当接する（点ｃ２のＸ軸上の位置と位置ｘ０との間の距離は、点ｂ２のＸ軸上の位置と位置ｘ０との間の距離よりも長い）ため、該−Ｘ軸方向端面１０１２ａ１ｗ２の位置は、（ｂ）の状態時よりもさらにＸ軸方向に移動した状態となる。（ｃ）の状態においては、第２の可動部材１０１２ｂ３上のコネクタ１０１５は、（ａ）の状態から、ｘｂ３−ｘｂ１だけＸ軸方向に移動変位されている。該コネクタ１０１５は、本（ｃ）の状態において、ハンディ型ビデオカメラ１１側のコネクタ１１２に接続され（＝コネクタ接続状態にされ）、ハンディ型ビデオカメラ１１が外部装置に接続された状態にする。コネクタ１０１５の±Ｘ軸方向の移動変位量ｘｂ３−ｘｂ１は、例えば３０×１０−３ｍ〜４０×１０−３ｍとする。
【００３５】
上記実施例によれば、ビデオカメラ支持ユニット１０１のレバー部材１０１３の回動動作によって、ハンディ型ビデオカメラ１１の該ビデオカメラ支持ユニット１０１への固定と、コネクタ１０１５、１１２間の接続とを同時にワンタッチ的に行うことができるため、容易にかつ短時間にハンディ型ビデオカメラ１１をスタジオアダプタに組み込むことができる。また、外部装置との接続をハンディ型ビデオカメラ１１の下方部分で行う構成のため、外部装置に接続される導線がハンディ型ビデオカメラ１１の操作部にかからないようにすることができる。この結果、スタジオアダプタの使い勝手性を向上させることができる。
【図面の簡単な説明】
【００３６】
【図１】本発明の実施例としてのビデオカメラ支持ユニットにハンディ型ビデオカメラが取付けられた状態を示す図である。
【図２】図１におけるハンディ型ビデオカメラのコネクタ接続部の構成を示す図である。
【図３】図１におけるビデオカメラ支持ユニットの外観を示す図である。
【図４】図３のビデオカメラ支持ユニットの分解構成を示す図である。
【図５】図３のビデオカメラ支持ユニットの上部平面構成及び側断面構成を示す図である。
【図６】図３のビデオカメラ支持ユニットの第１の可動部材の動作説明図である。
【図７】図３のビデオカメラ支持ユニットの第２の可動部材の動作説明図である。
【図８】従来のハンディ型ビデオカメラとスタジオアダプタの組合わせ形態の一例を示す図である。
【図９】図８の形態においてビデオカメラ支持ユニットによるハンディ型ビデオカメラの支持状態を示す図である。
【図１０】図８の形態においてコネクタの結合の仕方を示す図である。
【図１１】図８の形態においてコネクタが結合された状態を示す図である。
【符号の説明】
【００３７】
１０１…ビデオカメラ支持ユニット、
１０１１…固定部材、
１０１１ａ…固定部材の平面部、
１０１２ａ、１０１２ａ１、１０１２ａ２…第１の可動部材、
１０１２ｂ、１０１２ｂ１、１０１２ｂ２、１０１２ｂ３…第２の可動部材、
１０１２ａ１ｃ、１０１２ｂ１ｃ…凹部、
１０１２ａ１ｈ、１０１１ｂ、１０１１ｃ、１０１１ｄ…貫通孔、
１０８ａ、１０８ｂ、１１８…爪部、
１０１３…レバー部材、
１０１３ａ…回動中心、
１０１３ｂ…回動軸、
１０１４ａ…第１の偏心カム、
１０１４ｂ…第２の偏心カム、
１０１５、１１２…コネクタ、
１０１６…案内ピン、
１０１７…ばね、
１０１８…ばね支持部材、
１０２０ａ…第１のガイド部材、
１０２０ｂ…第２のガイド部材、
１０２１、１０２２…側壁部材、
１１…ハンディ型ビデオカメラ、
１１１…カメラ本体部、
１１３…コネクタカバー。
【図１】
2010130489.tif 000003
【図２】
2010130489.tif 000004
【図３】
2010130489.tif 000005
【図４】
2010130489.tif 000006
【図５】
2010130489.tif 000007
【図６】
2010130489.tif 000008
【図７】
2010130489.tif 000009
【図８】
2010130489.tif 000010
【図９】
2010130489.tif 000011
【図１０】
2010130489.tif 000012
【図１１】
2010130489.tif 000013